(57)【特許請求の範囲】
【請求項１】
静磁場を発生させる超電導磁石、および、前記超電導磁石の冷媒のガスを排出するクエンチ配管を具備した磁気共鳴イメージング装置の据付に際して、前記超電導磁石を設置場所の床に固定する固定具の固定穴を前記床のどの位置に形成するかを決定するために前記床に敷かれるシート部材を具備し、
前記シート部材は、前記クエンチ配管の位置を示す第１マークと、前記固定穴の位置を示す第２マークとを有し、
前記第１マークと前記第２マークとの位置関係が、前記超電導磁石において前記固定具が取り付けられる位置と、前記クエンチ配管との平面的な位置関係と同じになるように、前記第１マークおよび前記第２マークは形成されていることを特徴とする磁気共鳴イメージング装置の据付冶具。
【請求項２】
請求項１記載の磁気共鳴イメージング装置の据付冶具において、
前記第１マークおよび前記第２マークは、前記シート部材における穴として形成されていることを特徴とする磁気共鳴イメージング装置の据付冶具。
【請求項３】
請求項１記載の磁気共鳴イメージング装置の据付冶具において、
前記第１マークとの位置関係が、磁気共鳴イメージング装置の寝台において前記固定具が取り付けられる位置と、前記クエンチ配管との平面的な位置関係と同じになるように形成された第３マークを前記シート部材は有することを特徴とする磁気共鳴イメージング装置の据付冶具。
【請求項４】
請求項１記載の磁気共鳴イメージング装置の据付冶具において、
前記シート部材は、前記第１マークおよび前記第２マークと基準マークとが形成された第１のシートと、前記基準マークおよび第３マークが形成された第２のシートとを有し、
前記基準マーク同士が合致するように前記第１のシートおよび前記第２のシートを重ねた場合の前記第１マークと前記第３マークとの位置関係が、磁気共鳴イメージング装置の寝台において前記固定具が取り付けられる位置と、前記クエンチ配管との平面的な位置関係と同じになるように、前記第３マークは形成されていることを特徴とする磁気共鳴イメージング装置の据付冶具。
【請求項５】
請求項１記載の磁気共鳴イメージング装置の据付冶具において、
前記第１マークは、互いに異なる仕様の複数の磁気共鳴イメージング装置の前記クエンチ配管の位置をそれぞれ示す複数のマークであって、これら複数のマークがそれぞれどの磁気共鳴イメージング装置に対応するかを識別可能に形成したものであり、
前記第２マークは、前記複数の磁気共鳴イメージング装置に対する各々の前記固定穴の位置をそれぞれ示す複数のマークであって、これら複数のマークがそれぞれどの磁気共鳴イメージング装置に対応するかを識別可能に形成したものである
ことを特徴とする磁気共鳴イメージング装置の据付冶具。
【請求項６】
静磁場を発生させる超電導磁石、および、前記超電導磁石の冷媒のガスを排出するクエンチ配管を具備した磁気共鳴イメージング装置の据付方法であって、
前記クエンチ配管の位置を示す第１マークを有すると共に、前記第１マークとの位置関係が、前記超電導磁石において固定具が取り付けられる位置と、前記クエンチ配管との平面的な位置関係と同じになるように形成された第２マークを有するシート部材を設置場所の床に敷くステップと、
前記クエンチ配管が接続される前記設置場所の排気口と、前記第１マークとが所定の位置関係となるように、前記シート部材の位置合わせをするステップと、
前記シート部材の位置合わせの後、前記第２マークの位置に基づいて、前記床に対して形成する前記固定具の固定穴の位置を決定するステップと
を有することを特徴とする磁気共鳴イメージング装置の据付方法。
【発明の詳細な説明】
【技術分野】
【０００１】
本発明の実施形態は、磁気共鳴イメージング装置の据付冶具、および、磁気共鳴イメージング装置の据付方法に関する。
【背景技術】
【０００２】
ＭＲＩは、静磁場中に置かれた被検体の原子核スピンをラーモア周波数のＲＦパルスで磁気的に励起し、この励起に伴って発生するＭＲ信号から画像を再構成する撮像法である。なお、上記ＭＲＩは磁気共鳴イメージング（Ｍａｇｎｅｔｉｃ  Ｒｅｓｏｎａｎｃｅ  Ｉｍａｇｉｎｇ）の意味であり、上記ＲＦパルスは高周波パルス（ｒａｄｉｏ  ｆｒｅｑｕｅｎｃｙ  ｐｕｌｓｅ）の意味であり、上記ＭＲ信号は核磁気共鳴信号（ｎｕｃｌｅａｒ  ｍａｇｎｅｔｉｃ  ｒｅｓｏｎａｎｃｅ  ｓｉｇｎａｌ）の意味である。
【０００３】
ＭＲＩでは、高い磁場強度を長期に亘り安定に保持する静磁場発生手段が望まれる。そこで、かかる静磁場を実現するものとして、超電導磁石を用いた超電導型ＭＲＩ装置が知られている。この超電導磁石の内部の超電導コイルの冷媒には、例えば液体ヘリウムが用いられる。そして、超電導磁石は、クエンチが生じた場合に気化した冷媒（ヘリウムガス）を排出するクエンチ配管を有する。
【０００４】
超電導型ＭＲＩ装置の据付の際には、設置計画に従って撮影室内における寝台等の各部の位置を決めると共に超電導磁石のクエンチ配管の位置を決定し、施工する。この際、超電導磁石は、耐震等のためにアンカーで撮影室の床に対して固定され、設置計画のレイアウトに従ってアンカーの固定穴が施工される。
【０００５】
従来の超電導型ＭＲＩ装置の据付方法の一例としては、まず、設置計画に基づいて撮影室内における超電導型ＭＲＩ装置の各部の配置を決め、撮影室の床に対し、その配置の罫書きを入れる。次に、超電導磁石を撮影室内に移動（搬入）し、クエンチ配管と、それが接続される天井の排気口とが鉛直方向に揃うように位置合わせを行い、罫書きを修正する。次に、超電導磁石を脇に再移動し、修正した罫書きの位置に従って、超電導磁石を固定するアンカーの固定穴を床にあける。この後、修正した罫書きが示す位置に超電導磁石を再移動し、超電導磁石をアンカーで床に固定し、次の据付作業および調整作業に入る。
【０００６】
なお、超電導型ＭＲＩ装置の据付方法に関連した従来技術として、特許文献１が知られている。特許文献１に記載の据付支援方法は、冷媒を内包するクライオスタットへの熱侵入量と、クライオクーラの冷却能力を適正にバランスさせることを目的としている。
【先行技術文献】
【特許文献】
【０００７】
【特許文献１】国際公開番号：ＷＯ２００８−００７５７４号
【発明の概要】
【発明が解決しようとする課題】
【０００８】
超電導磁石は大きく重いが、それを設置場所となる病院内で移動させるにはフォークリフト等の運搬機械が入れず、大人数の人力で行うことが多い。しかしながら、上記した従来の据付方法では、超電導磁石を撮影室内に移動（搬入）後に、超電導磁石を再移動する手間が生じている。また、この方法だと、装置を搬入するまでアンカー穴の施工ができないという問題もある。
このため、超電導型ＭＲＩ装置の据付作業を効率化する技術が要望されていた。
【課題を解決するための手段】
【０００９】
本発明の一実施形態では、ＭＲＩ装置の据付冶具は、シート部材を備える。
シート部材は、静磁場を発生させる超電導磁石、および、超電導磁石の冷媒のガスを排出するクエンチ配管を具備したＭＲＩ装置の据付に際して、超電導磁石を設置場所の床に固定する固定具の固定穴を床のどの位置に形成するかを決定するために床に敷かれる。
また、シート部材は、クエンチ配管の位置を示す第１マークと、固定穴の位置を示す第２マークとを有する。
そして、第１マークと第２マークとの位置関係が、超電導磁石において固定具が取り付けられる位置と、クエンチ配管との平面的な位置関係と同じになるように、第１マークおよび第２マークは形成されている。
【００１０】
本発明の別の一実施形態は、静磁場を発生させる超電導磁石、および、前記超電導磁石の冷媒のガスを排出するクエンチ配管を具備したＭＲＩ装置の据付方法であって、以下の３ステップを有する。
１つは、第１マークおよび第２マークを有するシート部材を設置場所の床に敷くステップである。なお、第１マークと第２マークとの位置関係が、超電導磁石において固定具が取り付けられる位置と、クエンチ配管との平面的な位置関係と同じになるように、第２マークは形成されている。
１つは、クエンチ配管が接続される設置場所の排気口と、第１マークとが所定の位置関係となるように、シート部材の位置合わせをするステップである。
１つは、シート部材の位置合わせの後、第２マークの位置に基づいて、床に対して形成する固定具の固定穴の位置を決定するステップである。
【図面の簡単な説明】
【００１１】
【図１】第１の実施形態における第１シートの平面模式図。
【図２】第１の実施形態における第２シートの平面模式図。
【図３】第１の実施形態における第３シートの平面模式図。
【図４】ＭＲＩ装置における超電導磁石の一例を示す模式的斜視図。
【図５】ＭＲＩ装置の各部が据付される撮影室およびコンピュータ室の一例を示す断面模式図。
【図６】各センターラインおよび各ベースラインが合致するように、第１の実施形態の第１〜第３シートを重ねた状態を示す平面模式図。
【図７】第１の実施形態に係るＭＲＩ装置の据付方法の流れを示すフローチャート。
【図８】第２の実施形態における第１シートの平面模式図。
【図９】第２の実施形態における第２シートの平面模式図。
【図１０】第２の実施形態における第３シートの平面模式図。
【図１１】各センターラインおよび各ベースラインが合致するように、第２の実施形態の第１〜第３シートを重ねた状態を示す平面模式図。
【図１２】ＭＲＩ装置の全体構成を示すブロック図。
【発明を実施するための形態】
【００１２】
以下、本発明の実施形態を添付図面に基づいて説明する。なお、各図において同一要素には同一符号を付し、重複する説明を省略する。
【００１３】
（第１の実施形態）
第１の実施形態は、ＭＲＩ装置の据付治具の一実施形態である第１〜第３シートを予め用意し、これを設置場所の床に敷いてアンカー固定穴を決定することで、超電導型ＭＲＩ装置の据付作業を支援するものである。
【００１４】
図１は第１シート７０の平面模式図であり、図２は第２シート８０の平面模式図であり、図３は第３シート９０の平面模式図である。第１〜第３シート７０、８０、９０は、所定厚さの長方形として形成されており、可撓性を有する。
【００１５】
ここで、第１〜第３シート７０、８０、９０は、設置場所への移動や保管の際にかさばらないように、丸められるものが望ましい。また、設置場所の床は必ずしも平坦ではなく、多少の凸凹が想定されるので、第１〜第３シート７０、８０、９０は、そのような場合にも皺（しわ）にならない程度の硬さを有することが望ましい。従って、第１〜第３シート７０、８０、９０は、以上の条件を満たすように、例えばレキサン（登録商標）フィルムなどのプラスチックシートで形成すればよい。
【００１６】
図１に示すように、第１シート７０には、点線で示すベースライン７２と、一点鎖線で示すセンターライン７４とが、互いに直交する一直線状に印刷または印付けされている。ベースライン７２およびセンターライン７４は、第３シート９０との位置合わせに用いられる。
【００１７】
ベースライン７２は、第１シート７０の長手方向に沿うものである。センターライン７４は、第１シート７０の長手方向に直交するように、第１シート７０を２等分する位置にある。
【００１８】
また、第１シート７０には、クエンチ配管２２ｂ（後述の図４参照）の位置を示すクエンチ配管マーク７５が、穴として形成されている。据付の際には例えば、設置場所となる撮影室の排気口から鉛直方向直下に当たる位置に、床にマークをし、この床のマークと、クエンチ配管マーク７５とが合致するように第１シート７０の位置合わせをする。従って、例えば第１シート７０が透明性を有するものであれば、クエンチ配管マーク７５は、穴である必要はない。かかる場合、クエンチ配管マーク７５は、例えば×印を印字したものなど、クエンチ配管２２ｂの位置を示す何らかの印であってもよい。
【００１９】
さらに、第１シート７０には、超電導磁石ユニット２２の４つの脚部（後述の図４参照）の内の２つを固定するアンカーの各固定穴（埋め込み穴）の位置を示す固定穴マーク７６、７８が、穴として形成されている。第１シート７０におけるクエンチ配管マーク７５および固定穴マーク７６、７８の位置については、後述する。
【００２０】
図２に示すように、第２シート８０には、点線で示すベースライン８２と、一点鎖線で示すセンターライン８４とが、互いに直交する一直線状に印刷または印付けされている。ベースライン８２およびセンターライン８４は、第３シート９０との位置合わせに用いられる。
【００２１】
ベースライン８２は、第２シート８０の長手方向に沿うものである。センターライン８４は、第２シート８０の長手方向に直交するように、第２シート８０を２等分する位置にある。また、第２シート７０には、超電導磁石ユニット２２の４つの脚部の内の残りの２つを固定するアンカーの各固定穴の位置を示す固定穴マーク８６、８８が、穴として形成されている。固定穴マーク８６、８８の位置については、後述する。
【００２２】
図３に示すように、第３シート９０には、点線で示すベースライン９２、９４と、一点鎖線で示すセンターライン９６とが、互いに直交する一直線状に印刷または印付けされている。センターライン９６は、第３シート９０の長手方向に沿って第３シート９０を２等分する位置にある。
【００２３】
さらに、第３シート９０には、寝台（後述の図１２参照）を固定するアンカーの各固定穴の位置を示す寝台用固定穴マーク９８ａ、９８ｂ、９８ｃ、９８ｄが穴として形成されている。
【００２４】
図４は、超電導型のＭＲＩ装置２０Ａ（後述の図１２参照）における超電導磁石ユニット２２の一例を示す模式的斜視図である。超電導磁石ユニット２２は、内部の超電導コイルによって磁場を発生する円筒型の超電導磁石本体２２ａを有し、その冷却媒体には一例として液体ヘリウムが用いられる。また、超電導磁石ユニット２２は、クエンチの際にヘリウムガスを排出するクエンチ配管２２ｂを有する。
【００２５】
さらに、超電導磁石ユニット２２は、設置場所の床に安定的に固定するための４つの脚部２２ｃ、２２ｄ、２２ｅ、２２ｆを有する。なお、図４は斜視図なので、超電導磁石本体２２ａの後方に隠れた脚部２２ｆについては図示していない（後述の図５参照）。各々の脚部２２ｃ、２２ｄ、２２ｅ、２２ｆには、固定具としてのアンカーを挿通させる挿通口２３がそれぞれ形成されている。
【００２６】
図５は、ＭＲＩ装置２０Ａが据付される撮影室１００およびコンピュータ室１０２の一例を示す断面模式図である。図５に示すように、撮影室１００の床１０４（図５の太線部分）の上にＭＲＩ装置２０Ａの超電導磁石ユニット２２が据付される。コンピュータ室１０２としては、例えば、壁１０６を隔てて撮影室１００の隣の部屋が使用される。このコンピュータ室１０２に、ＭＲＩ装置２０Ａのコンピュータ５８（後述の図１２参照）等が配置される。そして、撮影室１００の天井には、超電導磁石ユニット２２のクエンチ配管２２ｂが専用のパイプ等で接続される排気口１０８が設けられている。
【００２７】
図６は、各センターライン７４、８４、９６および各ベースライン７２、８２、９２、９４が合致するように、第１〜第３シート７０、８０、９０を重ねた状態を示す平面模式図である。据付時における位置合わせの際には、図６に示すように、以下の３条件を満たすように第１〜第３シート７０、８０、９０を重ねる。
【００２８】
第１に、第１〜第３シート７０、８０、９０の各センターライン７４、８４、９６を揃える。第２に、第１シート７０のベースライン７２と、第３シート９０のベースライン９２とを揃える。第３に、第２シート８０のベースライン８２と、第３シート９０のベースライン９４とを揃える。
【００２９】
ここで、鉛直方向に直交する平坦な面上に図６のように第１〜第３シート７０、８０、９０を配置し、その上に超電導磁石ユニット２２を置く状態を考える。この状態で、脚部２２ｃ、２２ｄ、２２ｅ、２２ｆの各アンカー穴２３と合致する位置に、固定穴マーク７６、７８、８６、８８はそれぞれ形成されている。また、この状態で、クエンチ配管２２ｂの中心から鉛直方向直下の位置となるように、クエンチ配管マーク７５は形成されている。
【００３０】
第１〜第３シート７０、８０、９０の作成に際し、上記のようなクエンチ配管マーク７５、固定穴マーク７６、７８、８６、８８の位置の割り出しは、ＭＲＩ装置２０Ａの設計図等から決定可能である。なお、固定穴マーク７６、７８はそれぞれ、脚部２２ｆ、２２ｅの挿通口２３に対応し、固定穴マーク８６、８８はそれぞれ、図４における脚部２２ｄ、２２ｃの挿通口２３に対応する。即ち、クエンチ配管マーク７５の位置を基準とした固定穴マーク７６、７８、８６、８８の位置関係は、実際の超電導磁石ユニット２２を平面的に捉えた場合のクエンチ配管２２ｂを基準とした脚部２２ｃ〜２２ｆの位置関係と同じになるように設計されている。
【００３１】
同様に、図６のように第１〜第３シート７０、８０、９０を配置し、その上に超電導磁石ユニット２２を設置後、超電導磁石ユニット２２に対して適正な位置関係となるように寝台を置く状態を考える。この状態において、寝台の脚部の各アンカー挿通穴（図示せず）と合致する位置に、寝台用固定穴マーク９８ａ、９８ｂ、９８ｃ、９８ｄは形成されている。
【００３２】
このように、固定穴マーク７６、７８、８６、８８および寝台用固定穴マーク９８ａ〜９８ｄは、クエンチ配管マーク７５の位置を基準に、実際の超電導磁石ユニット２２の構造や寝台の構造、寸法に基づいた正確な位置に形成されている。
【００３３】
なお、固定穴マーク７６、７８、８６、８８は、穴には限定されない。据付の際には例えば、位置合わせをした第１〜第３シート７０、８０、９０における固定穴マーク７６、７８、８６、８８の穴を介して、床にマークをつける。従って、固定穴マーク７６、７８、８６、８８は、例えば、十文字状の切り込みであってもよい。
【００３４】
或いは、固定穴マーク７６、７８、８６、８８は、穴ではなく、四角印などを印字したものでもよい。この場合、第１〜第３シート７０、８０、９０の初回使用時には、位置合わせ後に、例えば四角印としての固定穴マーク７６、７８、８６、８８を貫通するように、床に釘を刺す等によって印をつけてから据付を行えばよい。そして、２回目以降の使用時には、固定穴マーク７６、７８、８６、８８は穴になっているので、その穴を介して床に印を付ければよい。以上の点については、寝台用固定穴マーク９８ａ〜９８ｄについても同様である。
【００３５】
図７は、第１の実施形態におけるＭＲＩ装置の据付方法の流れを示すフローチャートである。以下、前述の図１〜図６を適宜参照しながら、図７に示すステップ番号に従って、第１〜第３シート７０、８０、９０を用いたＭＲＩ装置２０Ａの据付方法の一例を説明する。
【００３６】
［ステップＳ１］クエンチ配管２２ｂ（図４参照）が接続される撮影室１００の天井の排気口１０８（図５参照）から、例えば分銅を紐で垂らすことで、鉛直方向に排気口１０８の直下にあたる位置を、床１０４に対してマークをする。
【００３７】
［ステップＳ２］床１０４にマークした排気口１０８の直下の位置と、クエンチ配管マーク７５とが合致するように、第１シート７０を床１０４に敷く。上記の合致状態を維持しつつ、例えば、センターライン７４が撮影室１００の壁１０６に平行になるように、第１シート７０の位置合わせをする。そして、第１シート７０がずれないように、例えばテープで第１シート７０を床１０４に対して固定する。
【００３８】
［ステップＳ３］第１シート７０の上に、第３シート９０を敷き、位置合わせをする。具体的には、第１シート７０のベースライン７２と、第３シート９０のベースライン９２とを揃え、第１シート７０のセンターライン７４と、第３シート９０のセンターライン９６とを揃える。この状態で、第３シート９０がずれないように、例えばテープで第３シート９０を床１０４に対して固定する。
【００３９】
［ステップＳ４］第３シート９０の上に、第２シート８０を敷き、位置合わせをする。具体的には、第２シート８０のベースライン８２と、第３シート９０のベースライン９４とを揃え、第２シート８０のセンターライン８４と、第３シート９０のセンターライン９６とを揃える。この状態で、第２シート８０がずれないように、例えばテープで第２シート８０を床１０４に対して固定する。
【００４０】
［ステップＳ５］固定穴マーク７６、７８、８６、８８の穴を介して、超電導磁石ユニット２２の脚部２２ｃ〜２２ｆを固定するアンカーを打ちつける位置を、床１０４にマークする。即ち、固定穴マーク７６、７８、８６、８８の穴によって部分的に露出した床１０４の４箇所に対して、固定穴マーク７６、７８、８６、８８にそれぞれ対応する第１〜第４マークをつける。
【００４１】
また、寝台用固定穴マーク９８ａ、９８ｂ、９８ｃ、９８ｄの穴を介して、寝台の脚部を固定するアンカーを打ちつける位置を、床１０４にマークする。即ち、寝台用固定穴マーク９８ａ、９８ｂ、９８ｃ、９８ｄの穴によって部分的に露出した床１０４の４箇所に対して、それぞれ第５〜第８マークをつける。この後、テープを剥がして、第１〜第３シート７０、８０、９０を床１０４から離し、片づける。
【００４２】
［ステップＳ６］専用のドリル等を用いて、ステップＳ５で床につけた第１〜第８マークの位置に対し、アンカーを固定するための穴をあける。次に、超電導磁石ユニット２２を撮影室１００に搬入し、第１〜第４マークの位置にあけた穴に各脚部２２ｃ〜２２ｆの挿通口２３が合致するように、超電導磁石ユニット２２の位置を合わせる。
【００４３】
即ち、固定穴マーク７６に対応する第１マークの位置にあけた穴に脚部２２ｆの挿通口２３を合わせ、固定穴マーク７８に対応する第２マークの位置にあけた穴に脚部２２ｅの挿通口２３を合わせる。また、固定穴マーク８６に対応する第３マークの位置にあけた穴に脚部２２ｄの挿通口２３を合わせ、固定穴マーク８８に対応する第４マークの位置にあけた穴に脚部２２ｃの挿通口２３を合わせる。
【００４４】
ここで、前述したように、クエンチ配管マーク７５と、各固定穴マーク７６、７８、８６、８８との位置関係は、超電導磁石ユニット２２のクエンチ配管２２ｂと、脚部２２ｃ〜２２ｆの各挿通口２３との平面的な位置関係と同じである。従って、上記のように位置合わせした状態では、クエンチ配管２２ｂは、排気口１０８の鉛直方向直下に位置する。
【００４５】
［ステップＳ７］ステップＳ６のように位置合わせした状態において、超電導磁石ユニット２２の脚部２２ｃ〜２２ｆをアンカー（図示せず）で床１０４に対して固定する。
【００４６】
［ステップＳ８］超電導磁石ユニット２２のクエンチ配管２２ｂを、専用のパイプ等で排気口１０８に接続する。
【００４７】
［ステップＳ９］寝台を撮影室１００に搬入する。そして、第５〜第８マークの位置にあけた穴に、寝台の脚部のアンカー挿通口が合致するように、寝台の位置を合わせる。このように位置合わせした状態において、寝台の脚部をアンカーで床１０４に対して固定する。以上が第１の実施形態のＭＲＩ装置の据付方法の説明である。
【００４８】
従来の据付方法では、設置計画に基づく暫定的な罫書きをしてから、超電導磁石を搬入して罫書きを修正後、超電導磁石を脇に再移動し、修正した罫書きに従ってアンカー固定用の穴をあけた後、設置位置に超電導磁石を再移動していた。この再移動の手間が生じる原因は、設置計画に基づく暫定的な罫書きと、実際の超電導磁石におけるクエンチ配管との間に位置ズレが生じる点にあるが、この位置ズレを無くすのは困難である。また、超電導磁石の本体に対してクエンチ配管を接続する配管に自在性があり、位置ズレを吸収できれば上記再移動の手間を解消しうる。しかし、クエンチの際には液体ヘリウムが瞬時に気化するため、配管には耐圧が必要であり、耐圧と自在性の両立は実現できていない。
【００４９】
そこで本実施形態では、クエンチ配管マーク７５の位置を基準とした各固定穴マーク７６、７８、８６、８８の位置関係を、超電導磁石ユニット２２を平面的に捉えた場合のクエンチ配管２２ｂを基準とした各脚部２２ｃ〜２２ｆの位置関係と同じにする。
【００５０】
従って、第１シート７０のクエンチ配管マーク７５を排気口１０８の鉛直方向直下に合わせるだけで、固定穴マーク７６、７８、８６、８８の位置は、超電導磁石ユニット２２の脚部２２ｃ〜２２ｆを固定するアンカーの固定穴の位置となる。即ち、超電導磁石ユニット２２を搬入することなく、これを固定するアンカーの固定穴の位置を正確に決定できる。この結果、超電導型ＭＲＩ装置の据付作業を効率化できる。
【００５１】
さらに、寝台を固定するアンカーの固定穴についても、第３シート９０に寝台用固定穴マーク９８ａ〜９８ｄとして形成しておく。従って、第１〜第３シート７０、８０、９０を上記のように位置合わせするだけで、超電導磁石ユニット２２や寝台を搬入することなく、寝台を固定するアンカーの固定穴の位置を正確に決定できる。この結果、超電導型ＭＲＩ装置の据付作業をさらに効率化できる。
【００５２】
さらに、第１〜第３シート７０、８０、９０は、１回の使用に限らず、多数回使用可能である。即ち、同じ仕様の多数の超電導型ＭＲＩ装置の据付に際して、据付の時期が異なれば、第１〜第３シート７０、８０、９０は１つ用意しておけば済む。従って、本実施形態のＭＲＩ装置の据付方法によれば、殆どコストを増大させることなく、その据付作業を効率化できる。
【００５３】
なお、本実施形態では、第１シート７０の上に第３シート９０を敷き、その上に第２シート８０を敷いて位置決めをする例を述べたが、これは一例にすぎない。第１〜第３シート７０、８０、９０を床に敷く順序は、以下４条件を満たすように位置合わせをする限り、どれを下に敷いてもよい。第１に、クエンチ配管マーク７５を排気口１０８の鉛直方向直下に合わせることである。第２に、第１〜第３シート７０、８０、９０の各センターライン７４、８４、９６を揃えることである。第３に、第１シート７０のベースライン７２と、第３シート９０のベースライン９２とを揃えることである。第４に、第２シート８０のベースライン８２と、第３シート９０のベースライン９４とを揃えることである。
【００５４】
（第２の実施形態）
第２の実施形態は、第１〜第３シート１２０、１３０、１４０のみにより、３つの異なる仕様のＭＲＩ装置２０Ａ、２０Ｂ、２０Ｃに対応させたものである。なお、ＭＲＩ装置２０Ａについては図４や後述の図１２に図示しているが、ＭＲＩ装置２０Ｂ、２０Ｃについては、寝台および超電導磁石の脚部やクエンチ配管の位置関係が異なるだけなので、図示を省略する。
【００５５】
図８は、第２の実施形態における第１シート１２０の平面模式図であり、図９は、第２の実施形態における第２シート１３０の平面模式図であり、図１０は、第２の実施形態における第３シート１４０の平面模式図である。
【００５６】
図８に示す第１シート１２０は、ＭＲＩ装置２０Ａに対応した第１シート７０に対して、ＭＲＩ装置２０Ｂ、２０Ｃに対応するクエンチ配管マークおよび超電導磁石ユニットの４つの脚部の内の２つを固定するアンカー固定穴マークを追加したものである。なお、第１シート１２０におけるベースライン１２２、センターライン１２４の配置は、第１の実施形態の第１シート７０と同様である。
【００５７】
図８に示すように、第１シート１２０には、ＭＲＩ装置２０Ａ、２０Ｂ、２０Ｃの各クエンチ配管の位置をそれぞれ示すクエンチ配管マーク１２５ａ、１２５ｂ、１２５ｃが、穴およびその隣に識別情報を付したものとして形成されている。ここでの識別情報は一例として、クエンチ配管マーク１２５ａについてはＭＲＩ装置２０Ａを示す「Ａ」であり、クエンチ配管マーク１２５ｂについてはＭＲＩ装置２０Ｂを示す「Ｂ」であり、クエンチ配管マーク１２５ｃについてはＭＲＩ装置２０Ｃを示す「Ｃ」である。
【００５８】
さらに、上記の文字的な識別情報がなくとも識別できるように、クエンチ配管マーク１２５ａは円形の穴で、クエンチ配管マーク１２５ｂは正方形の穴で、クエンチ配管マーク１２５ｃは六角形の穴でそれぞれ形成されている。
【００５９】
また、第１シート１２０には、ＭＲＩ装置２０Ａの超電導磁石ユニットの４つの脚部の２つを固定するアンカーの各固定穴の位置を示す固定穴マーク１２６ａ、１２８ａが、円形の穴およびその隣に付した識別情報（文字「Ａ」）として形成されている。
【００６０】
同様に、第１シート１２０には、ＭＲＩ装置２０Ｂの超電導磁石ユニットの４つの脚部の２つを固定するアンカーの各固定穴の位置を示す固定穴マーク１２６ｂ、１２８ｂが、正方形の穴およびその隣に付した識別情報（文字「Ｂ」）として形成されている。
【００６１】
同様に、第１シート１２０には、ＭＲＩ装置２０Ｃの超電導磁石ユニットの４つの脚部の２つを固定するアンカーの各固定穴の位置を示す固定穴マーク１２６ｃ、１２８ｃが、六角形の穴およびその隣に付した識別情報（文字「Ｃ」）として形成されている。
【００６２】
同様に、図９に示す第２シート１３０には、ＭＲＩ装置２０Ａの超電導磁石ユニットの４つの脚部の残り２つを固定するアンカーの各固定穴の位置を示す固定穴マーク１３６ａ、１３８ａが、円形の穴およびその隣に付した識別情報（文字「Ａ」）として形成されている。
【００６３】
同様に、第２シート１３０には、ＭＲＩ装置２０Ｂの超電導磁石ユニットの４つの脚部の残り２つを固定するアンカーの各固定穴の位置を示す固定穴マーク１３６ｂ、１３８ｂが、正方形の穴およびその隣に付した識別情報（文字「Ｂ」）として形成されている。
【００６４】
同様に、第２シート１３０には、ＭＲＩ装置２０Ｃの超電導磁石ユニットの４つの脚部の残り２つを固定するアンカーの各固定穴の位置を示す固定穴マーク１３６ｃ、１３８ｃが、六角形の穴およびその隣に付した識別情報（文字「Ｃ」）として形成されている。
【００６５】
なお、第２シート１３０におけるベースライン１３２、センターライン１３４の配置は、第１の実施形態の第２シート８０と同様である。
【００６６】
また、図１０に示す第３シート１４０におけるベースライン１４２、１４４およびセンターライン１４６の配置は、第１の実施形態の第３シート９０と同様である。
【００６７】
図１０に示す第３シート１４０には、ＭＲＩ装置２０Ａの寝台の４つの脚部を固定するアンカーの各固定穴の位置を示す寝台用固定穴マーク１４７ａ、１４８ａ、１４９ａ、１５０ａが、円形の穴およびその隣に付した識別情報（文字「Ａ」）として形成されている。
【００６８】
同様に、第３シート１４０には、ＭＲＩ装置２０Ｂの寝台の４つの脚部を固定するアンカーの各固定穴の位置を示す寝台用固定穴マーク１４７ｂ、１４８ｂ、１４９ｂ、１５０ｂが、正方形の穴およびその隣に付した識別情報（文字「Ｂ」）として形成されている。
【００６９】
同様に、第３シート１４０には、ＭＲＩ装置２０Ｃの寝台の４つの脚部を固定するアンカーの各固定穴の位置を示す寝台用固定穴マーク１４７ｃ、１４８ｃ、１４９ｃ、１５０ｃが、六角形の穴およびその隣に付した識別情報（文字「Ｃ」）として形成されている。
【００７０】
図１１は、第１の実施形態と同様に各ベースライン１２２、１３２、１４２、１４４および各センターライン１２４、１３４、１４６が揃うように、第２の実施形態の第１〜第３シート１２０、１３０、１４０を重ねた状態を示す平面模式図である。
【００７１】
第２の実施形態では、ＭＲＩ装置２０Ａの据付に際しては、円形の穴および識別情報（文字Ａ）で識別された「各マーク」に基づいて、第１の実施形態と同様に各ベースラインおよび各センターラインを図１１のように合致させてアンカー固定穴の位置決めを行う。ここでの「各マーク」とは、ＭＲＩ装置２０Ａに対応するクエンチ配管マーク１２５ａ、固定穴マーク１２６ａ、１２８ａ、１３６ａ、１３８ａ、寝台用固定穴マーク１４７ａ、１４８ａ、１４９ａ、１５０ａである。
【００７２】
ＭＲＩ装置２０Ｂの据付に際しては、正方形の穴および文字Ｂで識別されたクエンチ配管マーク１２５ｂ、固定穴マーク１２６ｂ、１２８ｂ、１３６ｂ、１３８ｂ、寝台用固定穴マーク１４７ｂ、１４８ｂ、１４９ｂ、１５０ｂに基づいて、同様にすればよい。
【００７３】
ＭＲＩ装置２０Ｃの据付に際しては、六角形の穴および文字Ｃで識別されたクエンチ配管マーク１２５ｃ、固定穴マーク１２６ｃ、１２８ｃ、１３６ｃ、１３８ｃ、寝台用固定穴マーク１４７ｃ、１４８ｃ、１４９ｃ、１５０ｃに基づいて、同様にすればよい。
【００７４】
以上、第２の実施形態においても、第１の実施形態と同様の効果が得られる。さらに、第２の実施形態では、１組の第１〜第３シート１２０、１３０、１４０により、３つの異なる仕様のＭＲＩ装置２０Ａ、２０Ｂ、２０Ｃの各据付施工に対応できる。
【００７５】
なお、第２の実施形態では３つの異なる仕様のＭＲＩ装置に対応させる例を述べたが、これは一例に過ぎない。２つまたは４つ以上の異なる仕様のＭＲＩ装置に対応するように、第１〜第３シートにクエンチ配管マーク、超伝導磁石用の固定穴マーク、寝台用固定穴マークを形成してもよい。
【００７６】
（実施形態の補足事項）
［１］第１および第２の実施形態では、１組のシート部材が第１〜第３シート７０、８０、９０（１２０、１３０、１４０）からなる例、即ち、ＭＲＩ装置の据付治具を複数シートで構成する例を述べた。本発明の実施形態は、かかる態様に限定されるものではない。例えば、図６、図１１に示すような各ベースラインおよび各センターラインを合致させた状態の第１〜第３シート７０、８０、９０（１２０、１３０、１４０）を１つのシートとして形成してもよい。
【００７７】
［２］第１および第２の実施形態では、直線状のベースライン（７２、８２、９２、９４等）、センターライン（７４、８４、９６等）によって、第１〜第３シート７０、８０、９０（１２０、１３０、１４０）を所定の位置関係に合わせる例を述べた。これは一例にすぎない。ベースラインおよびセンターラインは、第１〜第３シートを所定の位置関係に合わせるマークの一例であり、ラインではなく、例えば、他の模様や細長い穴などで代用してもよい。
【００７８】
［３］第１および第２の実施形態では、固定具としてアンカーを用いる例を述べたが、これは一例にすぎない。固定具としては、例えば他の種類のボルトなどであってもよい。
【００７９】
［４］本発明の実施形態は、同一の多数のＭＲＩ装置２０Ａの各据付工事に際して、同じ第１〜第３シート７０、８０、９０を繰り返して用いる態様には限定されない。ＭＲＩ装置１つ１つが、据付治具としての第１〜第３シート７０、８０、９０を有する構成としてもよい。
【００８０】
図１２は、そのような例としての超電導型のＭＲＩ装置２０Ａの全体構成を示すブロック図である。図１２では煩雑となるので示していないが、ＭＲＩ装置２０Ａは、第１の実施形態の第１〜第３シート７０、８０、９０を備える。
【００８１】
以下、ＭＲＩ装置２０Ａの構成について説明する。図１２に示すように、ＭＲＩ装置２０Ａは、静磁場を形成する筒状の超電導磁石ユニット２２と、超電導磁石ユニット２２の内側において軸を同じにして設けられた筒状のシムコイル２４と、傾斜磁場コイル２６と、ＲＦコイル２８と、制御系３０と、被検体Ｐが乗せられる寝台３２とを備える。
【００８２】
制御系３０は、静磁場電源４０と、シムコイル電源４２と、傾斜磁場電源４４と、ＲＦ送信器４６と、ＲＦ受信器４８と、寝台駆動装置５０と、シーケンスコントローラ５６と、コンピュータ５８とを備える。
【００８３】
傾斜磁場電源４４は、Ｘ軸傾斜磁場電源４４ｘと、Ｙ軸傾斜磁場電源４４ｙと、Ｚ軸傾斜磁場電源４４ｚとで構成されている。また、コンピュータ５８は、演算装置６０と、入力装置６２と、表示装置６４と、記憶装置６６とで構成されている。なお、装置座標系の互いに直交するＸ軸、Ｙ軸、Ｚ軸は、例えば以下のように定義される。超電導磁石ユニット２２およびシムコイル２４は、それらの軸方向が鉛直方向に直交するように配置されているものとし、超電導磁石ユニット２２およびシムコイル２４の軸方向をＺ軸方向とする。また、鉛直方向をＹ軸方向とし、寝台３２は、その天板の載置用の面の法線方向がＹ軸方向となるように配置されているものとする。
【００８４】
超電導磁石ユニット２２は、静磁場を発生する超電導コイルおよび超電導コイルの冷媒（例えば液体ヘリウム）を内包するクライオスタットを有する。さらに、超電導磁石ユニット２２は、前記冷媒が気化したガスを再凝縮させるためのクライオクーラと、（クエンチ時に）前記冷媒が気化したガスをクライオスタットから排出するクエンチ配管とを有する。
超電導磁石ユニット２２は、静磁場電源４０に接続され、静磁場電源４０から供給された電流により撮像空間に静磁場を形成させる。シムコイル２４は、シムコイル電源４２に接続され、シムコイル電源４２から供給される電流により、この静磁場を均一化する。
【００８５】
傾斜磁場コイル２６は、Ｘ軸傾斜磁場コイル２６ｘと、Ｙ軸傾斜磁場コイル２６ｙと、Ｚ軸傾斜磁場コイル２６ｚとを有し、超電導磁石ユニット２２の内側で筒状に形成されている。Ｘ軸傾斜磁場コイル２６ｘ、Ｙ軸傾斜磁場コイル２６ｙ、Ｚ軸傾斜磁場コイル２６ｚはそれぞれ、Ｘ軸傾斜磁場電源４４ｘ、Ｙ軸傾斜磁場電源４４ｙ、Ｚ軸傾斜磁場電源４４ｚに接続される。
【００８６】
Ｘ軸傾斜磁場電源４４ｘ、Ｙ軸傾斜磁場電源４４ｙ、Ｚ軸傾斜磁場電源４４ｚからＸ軸傾斜磁場コイル２６ｘ、Ｙ軸傾斜磁場コイル２６ｙ、Ｚ軸傾斜磁場コイル２６ｚにそれぞれ供給される電流により、Ｘ軸方向の傾斜磁場Ｇｘ、Ｙ軸方向の傾斜磁場Ｇｙ、Ｚ軸方向の傾斜磁場Ｇｚが撮像空間にそれぞれ形成される。即ち、Ｘ軸、Ｙ軸、Ｚ軸方向の傾斜磁場Ｇｘ、Ｇｙ、Ｇｚを合成して、論理軸としてのスライス選択方向傾斜磁場Ｇｓｓ、位相エンコード方向傾斜磁場Ｇｐｅ、および、読み出し方向（周波数エンコード方向）傾斜磁場Ｇｒｏの各方向を任意に設定できる。スライス選択方向、位相エンコード方向、および、読み出し方向の各傾斜磁場は、静磁場に重畳される。
【００８７】
ＲＦ送信器４６は、シーケンスコントローラ５６から入力される制御情報に基づいて、核磁気共鳴を起こすためのラーモア周波数のＲＦパルス（ＲＦ電流パルス）を生成し、これを送信用のＲＦコイル２８に送信する。ＲＦコイル２８には、ガントリに内蔵されたＲＦパルスの送受信用の全身用コイルや、寝台３２または被検体Ｐの近傍に設けられるＲＦパルスの受信用の局所コイルなどがある。
送信用のＲＦコイル２８は、ＲＦ送信器４６からＲＦパルスを受けて被検体Ｐに送信する。受信用のＲＦコイル２８は、被検体Ｐの内部の原子核スピンがＲＦパルスによって励起されることで発生したＭＲ信号（高周波信号）を受信し、このＭＲ信号は、ＲＦ受信器４８により検出される。
【００８８】
ＲＦ受信器４８は、検出したＭＲ信号に前置増幅、中間周波変換、位相検波、低周波増幅、フィルタリングなどの各種の信号処理を施した後、Ａ／Ｄ（ａｎａｌｏｇ  ｔｏ  ｄｉｇｉｔａｌ）変換を施すことで、デジタル化された複素データである生データを生成する。ＲＦ受信器４８は、生成したＭＲ信号の生データをシーケンスコントローラ５６に入力する。
演算装置６０は、ＭＲＩ装置２０全体のシステム制御を行うものである。
【００８９】
シーケンスコントローラ５６は、演算装置６０の指令に従って、傾斜磁場電源４４、ＲＦ送信器４６およびＲＦ受信器４８を駆動させるために必要な制御情報を記憶する。ここでの制御情報とは、例えば、傾斜磁場電源４４に印加すべきパルス電流の強度や印加時間、印加タイミング等の動作制御情報を記述したシーケンス情報である。
【００９０】
シーケンスコントローラ５６は、記憶した所定のシーケンスに従って傾斜磁場電源４４、ＲＦ送信器４６およびＲＦ受信器４８を駆動させることで、傾斜磁場Ｇｘ、Ｇｙ、ＧｚおよびＲＦパルスを発生させる。また、シーケンスコントローラ５６は、ＲＦ受信器４８から入力されるＭＲ信号の生データを受けて、これを演算装置６０に入力する。
【００９１】
寝台駆動装置５０は、シーケンスコントローラ５６を介して演算装置６０に接続される。シーケンスコントローラ５６は、演算装置６０の指令に従って寝台駆動装置５０を制御することで寝台３２の天板を移動させる。
以下、上記ＭＲＩ装置２０Ａのイメージングの動作の流れについて説明する。
【００９２】
被検体Ｐが寝台３２にセットされ、静磁場電源４０により励磁された超電導磁石ユニット２２によって撮像空間に静磁場が形成される。また、シムコイル電源４２からシムコイル２４に電流が供給されて、撮像空間に形成された静磁場が均一化される。
【００９３】
そして、入力装置６２から演算装置６０に撮像開始指示が入力されると、演算装置６０は、パルスシーケンスを含む撮像条件をシーケンスコントローラ５６に入力する。シーケンスコントローラ５６は、入力されたパルスシーケンスに従って傾斜磁場電源４４、ＲＦ送信器４６およびＲＦ受信器４８を駆動させることで、撮像空間に傾斜磁場を形成させると共に、ＲＦコイル２８からＲＦ信号（ＲＦパルス）を発生させる。
【００９４】
このため、被検体Ｐの内部の核磁気共鳴により生じたＭＲ信号が、ＲＦコイル２８により受信され、ＲＦ受信器４８により検出される。ＲＦ受信器４８は、検出したＭＲ信号に所定の信号処理を施した後、これをＡ／Ｄ変換することで、デジタル化したＭＲ信号である生データを生成する。ＲＦ受信器４８は、生成した生データをシーケンスコントローラ５６に入力する。
【００９５】
シーケンスコントローラ５６は、生データを演算装置６０に入力し、演算装置６０は、その内部のｋ空間データベースに形成されたｋ空間において、生データをｋ空間データとして配置する。演算装置６０は、ｋ空間データにフーリエ変換を含む画像再構成処理を施すことで画像データを再構成し、これを一旦保存後、これに所定の画像処理を施すことで表示用画像データを生成し、この表示用画像データを記憶装置６６に保存する。以上がＭＲＩ装置２０Ａのイメージングの動作の説明である。
【００９６】
多数の同一のＭＲＩ装置２０Ａの１つ１つに第１〜第３シート７０、８０、９０を具備させておくことで、同じ時期に多数の同一のＭＲＩ装置２０Ａの据付施工を行う場合にも対応できる。このように多数のＭＲＩ装置２０Ａの１つ１つに第１〜第３シート７０、８０、９０を付随させる場合、第１〜第３シート７０、８０、９０を紙で形成することでコストを低減してもよい。
【００９７】
［５］本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９８】
２０Ａ  ＭＲＩ装置
２２  超電導磁石ユニット
２２ａ  超電導磁石本体
２２ｂ  クエンチ配管
２２ｃ、２２ｄ、２２ｅ、２２ｆ  脚部
２３  挿通口
２４  シムコイル
２６  傾斜磁場コイル
２６ｘ  Ｘ軸傾斜磁場コイル
２６ｙ  Ｙ軸傾斜磁場コイル
２６ｚ  Ｚ軸傾斜磁場コイル
２８  ＲＦコイル
３０  制御系
３２  寝台
４０  静磁場電源
４２  シムコイル電源
４４  傾斜磁場電源
４４ｘ  Ｘ軸傾斜磁場電源
４４ｙ  Ｙ軸傾斜磁場電源
４４ｚ  Ｚ軸傾斜磁場電源
４６  ＲＦ送信器
４８  ＲＦ受信器
５０  寝台駆動装置
５６  シーケンスコントローラ
５８  コンピュータ
６０  演算装置
６２  入力装置
６４  表示装置
６６  記憶装置
７０、１２０  第１シート
７２、８２、９２、９４  ベースライン
７４、８４、９６  センターライン
７５  クエンチ配管マーク
７６、７８、８６、８８  固定穴マーク
８０、１３０  第２シート
９０、１４０  第３シート
９８ａ、９８ｂ、９８ｃ、９８ｄ  寝台用固定穴マーク
１００  撮影室
１０２  コンピュータ室
１０４  床
１０６  壁
１０８  排気口
Ｐ  被検体
【図１】
0005487056.tif 000002
【図２】
0005487056.tif 000003
【図３】
0005487056.tif 000004
【図４】
0005487056.tif 000005
【図５】
0005487056.tif 000006
【図６】
0005487056.tif 000007
【図７】
0005487056.tif 000008
【図８】
0005487056.tif 000009
【図９】
0005487056.tif 000010
【図１０】
0005487056.tif 000011
【図１１】
0005487056.tif 000012
【図１２】
0005487056.tif 000013